(57)【要約】      （修正有）【課題】コアの径方向に並ぶ複数の鋳造導体バーを異なる素材から形成することが可能な複数重（例えば二重）かご形回転子を提供する。【解決手段】コア３の径方向に相互に連通しないように形成した外層側導体バー用スロット３Ａ内，内層側導体バー用スロット３Ｂ内にそれぞれ種類の異なる金属または合金を用いた鋳造により外層側導体バー５Ａ，内層側導体バー５Ｂを形成するとともに、同一材料から形成した同一半径上の外層側導体バー５Ａ，内層側導体バー５Ｂをそれぞれ導体バー５Ａ，５Ｂと同じ材料を用いた鋳造により形成した外層側エンドリング６Ａ，内層側エンドリング６Ｂで接続した。【選択図】図１
2011244594.tif 000002
【特許請求の範囲】
【請求項１】
回転軸の軸方向に複数の鋼板を積層してなり且つ回転軸の軸方向に連通するスロットを同心状に複数形成したコアと、各スロット内に鋳造によって形成した導体バーと、導体バーを前記コアの軸方向の各端面側で連結したエンドリングとを備えたかご形回転子であって、
前記スロットを前記コアの径方向に相互に連通しないように複数形成し、これら径方向に並ぶ各スロット内にそれぞれ種類の異なる金属または合金を用いた鋳造により前記導体バーを形成するとともに、同一半径上にある導体バー同士を当該導体バーと同じ材料を用いた鋳造により形成したエンドリングで連結していることを特徴とするかご形回転子。
【請求項２】
請求項１に記載のかご形回転子の製造方法であって、
回転軸の軸方向に複数の鋼板を積層し、回転軸の軸方向に連通するスロットを同心状に複数有するコアを形成する工程と、
これら径方向に並ぶ各スロット内に、溶融したそれぞれ種類の異なる金属または合金を注入し硬化させる鋳造法により前記導体バーを形成するとともに、同一半径上にある導体バー同士を当該導体バーと同じ材料を用いた鋳造法によりエンドリングを形成し、同一材料の導体バーとエンドリングを一体に連結させた状態のかご形導体を形成する工程とを有することを特徴とするかご形回転子の製造方法。
【発明の詳細な説明】
【技術分野】
【０００１】
本発明は、回転子、特にかご形回転子、及びその製造方向に関するものである。
【背景技術】
【０００２】
従来より、電動機や発電機等の回転機器に適用される回転子として、回転軸の軸方向に薄板状の鋼板を複数枚積層したコアと、かご形電気伝導体（「かご形導体」とも称される）とを備えたものが知られている。かご形導体としては、コアを構成する各鋼板の外周縁ないし外周縁近傍に形成され回転軸の軸方向に連通する複数のスロットにそれぞれ例えば銅や黄銅からなる導体バーを挿入し、各導体バーの端部を、コアの長手方向（回転軸の軸方向）両端部に配置したエンドリング（短絡環）に電気的に接続したもの（以下、「導体バー挿入タイプ」と称する）や、鋼板を積層した状態で回転軸の軸方向に連通するスロットに例えばアルミニウム等の金属を鋳込む（ダイキャスト）ことにより、回転軸の軸方向に延伸する導体バーと、導体バーの両端に形成されるエンドリングとを一体に製造したもの（以下、「鋳造タイプ」と称する）が挙げられる（特許文献１参照）。
【０００３】
導体バー挿入タイプのかご形導体では、直径が例えば５ｍｍ〜１０ｍｍ程度であるスロット内に細長く硬質の導体バーを連続して挿入する作業には高い精度が要求され、また、挿入作業の途中で導体バーの一部がスロットに不意に引っ掛かって噛み込んだ場合には、導体バーが抜き挿し不能な状態になり、廃棄せざるを得ないという不具合があった。一方、鋳造タイプのかご形導体であれば、鋼板のスロット（微小孔）に導体バーを挿入する手間を省略することができる。
【０００４】
ところで、適切なトルク特性を得るために、導体バーをコアの径方向に二重に配置したいわゆる二重かご形回転子も知られている。二重かご形回転子の具体例としては、外側（回転軸から半径方向に遠い側）のスロット内に相対的に高抵抗の素材からなる導体バーを挿入して配置し、内側（回転軸から半径方向に近い側）のスロット内に相対的に低抵抗の素材からなる導体バーを挿入して配置することにより、始動時の電流を小さくして始動トルクを大きく設定した導入バー挿入タイプのものが挙げられる。なお、下記特許文献２には、導体バーをコアの径方向に三重（三層）状に配置した導入バー挿入タイプのかご形回転子が開示されている。
【先行技術文献】
【特許文献】
【０００５】
【特許文献１】特開平８−２７５４７３号公報
【特許文献２】特開平６−２０５５７０号公報
【発明の概要】
【発明が解決しようとする課題】
【０００６】
ところで、上記特許文献２の図２に明示されているように、径方向に形成した複数のスロットは径方向に延びる連通孔を介して相互につながっている。したがって、鋳造タイプのかご形回転子において、このようなスロットに特定の金属（例えばアルミニウム）または合金を鋳込んだ場合、当然のことながら、各スロット内には同一素材の溶融金属が流れ込み、径方向に並ぶ導体バーの素材が同一のものになってしまい、異なる種類の金属での鋳造ができないという問題があった。
【０００７】
また、導体バー挿入タイプで二重かご形回転子を構成する場合、各導体バーに用いる材料の組み合わせがある程度限定されたものであるため、トルク特性の自由度には制限があった。さらに、二重かご形回転子では、導体バーがスロットに挿入される工程で噛み込んでします可能性も一層高まることとなる。
【０００８】
本発明は、このような問題に着目してなされたものであって、主たる目的は、鋳造タイプのかご形回転子において、コアの径方向に並ぶ複数の導体バーを異なる素材から形成することが可能なかご形回転子、及びそのような効果を奏するかご形回転子の製造方法を提供することにある。
【課題を解決するための手段】
【０００９】
すなわち本発明は、回転軸の軸方向に複数の鋼板を積層してなり且つ回転軸の軸方向に連通するスロットを同心状に複数形成したコアと、各スロット内に鋳造によって形成した導体バーと、導体バーをコアの軸方向の各端面側で連結したエンドリングとを備えたかご形回転子に関するものである。そして、本発明のかご形回転子は、スロットをコアの径方向に相互に連通しないように複数形成し、これら径方向に間欠的に並ぶ各スロット内にそれぞれ種類の異なる金属または合金を用いた鋳造により導体バーを形成するとともに、同一半径上にある導体バー同士をこれら導体バーと同じ材料を用いた鋳造により形成したエンドリングで連結していることを特徴としている。
【００１０】
ここで、コアの径方向に間欠的に並ぶスロットの数は複数であればよく、３つ以上のスロットをコアの径方向に並べた態様を適用することもできる。また、３つ以上のスロットをコアの径方向に並べて形成した場合、すくなくとも２つ以上のスロットがコアの径方向に相互に連通しない形状であればよい。
【００１１】
そして、本発明の複数層（複数重）かご形回転子では、コアの径方向に相互に連通していない各スロット内にそれぞれ異なる材料の金属または合金で鋳造によって抵抗値や導電性等が相互に異なる導体バーを形成することが可能であるため、コアの径方向に並ぶ各導体バーの材料（素材）の組み合わせや配合比率（合金の場合）等の選択肢が増大し、仕様に応じた適切なトルク特性を得ることが可能になる。また、導体バー挿入タイプの場合では得られず本発明特有の効果としては、コアの径方向に並ぶスロットの形状を適宜変更した場合であっても、鋳造処理によって各スロット内を隙間無く充填するような導体バーを容易に形成することができる点を挙げられる。
【００１２】
また、本発明のかご形回転子では、同一半径上に複数形成される導体バー同士を、これら導体バーと共に鋳造により形成したエンドリングによって接続しているため、同一半径上にある複数の導体バーとエンドリングとの連結強度が高く、耐遠心力性も増大して高速回転にも好適に対応することができる。
【００１３】
また、本発明は、上述したかご形回転子の製造方法として、回転軸の軸方向に複数の鋼板を積層し、回転軸の軸方向に連通するスロットを同心状に複数有するコアを形成する工程と、これら径方向に並ぶ各スロット内に、溶融したそれぞれ種類の異なる金属または合金を注入し硬化させる鋳造法により導体バーを形成するとともに、同一半径上にある導体バー同士を当該導体バーと同じ材料を用いた鋳造法によりエンドリングを形成し、同一材料の導体バーとエンドリングを一体に連結させた状態のかご形導体を形成する工程とを経ることを特徴としている。このような方法によれば、導体バー及びエンドリングを一体に鋳造し、相互に金属種を異ならせた二重以上の複数重かご形導体を有するかご形回転子を効率良く製造することができる。
【発明の効果】
【００１４】
このように、本発明であれば、コアの径方向に相互に連通しない複数のスロットにそれぞれ材料や配合比率の異なる金属または合金を鋳込むことによって特性の異なる導体バーをコアの径方向に複数重（複数層）に形成したかご形回転子を提供することができる。
【図面の簡単な説明】
【００１５】
【図１】本発明の一実施形態に係る回転子の縦断面模式図。
【図２】図１のａ−ａ線断面模式図。
【図３】図２のｚ領域拡大模式図。
【発明を実施するための形態】
【００１６】
以下、本発明の一実施形態を、図面を参照して説明する。
【００１７】
本実施形態に係る回転子１は、図１及び図２（図１は回転子１の縦断面模式図であり、図２は図１のａ−ａ線断面模式図であり、図３は図２のｚ領域拡大模式図である）に示すように、回転軸２と、回転軸２の周囲に当該回転軸２と一体回転可能に設けたコア３と、コア３に施したかご形導体４とを備えたものである。
【００１８】
回転軸２は、外周面の所定部分に径方向に突出させたキー２１を有し、コア３に形成したキー溝３ａをキー２１に係合することにより、回転軸２とコア３とが一体回転するように構成している（図２参照）。
【００１９】
コア３は、薄板状をなす複数の鋼板３１（例えば珪素鋼板３１）を回転軸２の軸方向に積層して構成したものである。概略円環状をなす各鋼板３１は、外周縁部近傍に形成した外層側導体バー用スロット３Ａと、外層側導体バー用スロット３Ａよりも内周側（回転軸２側）に形成した内層側導体バー用スロット３Ｂと備えている。これら外層側導体バー用スロット３Ａ及び内層側導体バー用スロット３Ｂは、それぞれ同一半径上に所定ピッチで複数形成されている。すなわち、本実施形態に係るかご形回転子１では、回転軸２の軸方向に複数の鋼板３１を積層して、回転軸２の軸方向に連通するスロット３Ａ、３Ｂを同心状に有するコア３を形成している。そして、外層側導体バー用スロット３Ａと内層側導体バー用スロット３Ｂとは相互に連通しておらず、本実施形態では、内層側導体バー用スロット３Ｂの開口形状を外層側導体バー用スロット３Ａの開口形状よりも大きく設定している（図３参照）。
【００２０】
そして、本実施形態に係る回転子１は、外層側導体バー用スロット３Ａ内に、例えばアルミニウムまたはアルミニウム合金（例えばＡＤＣ１２等）を用いた鋳造により外層側導体バー５Ａを形成し、内層側導体バー用スロット３Ｂ内に、例えば銅または銅合金（例えばＣ２１００やＣ４６２１等）を用いた鋳造により内層側導体バー５Ｂを形成している。本実施形態の回転子１は、このような構成によって外層側導体バー５Ａの抵抗値を内層側導体バー５Ｂの抵抗値よりも高くなるように設定している。
【００２１】
また、本実施形態に係る回転子１は、図１に示すように、周方向に複数形成した外層側導体バー５Ａの端部同士を、コア３の端面側に形成した外層側エンドリング６Ａによって接続し、周方向に複数形成した内層側導体バー５Ｂの端部同士を、コア３の端面側に形成した内層側エンドリング６Ｂによって接続している。外層側エンドリング６Ａ及び内層側エンドリング６Ｂは、コア３の端面よりも回転軸２の軸方向に突出した形状をなしている。本実施形態の回転子１は、外層側導体バー５Ａ及び外層側エンドリング６Ａにより外層側かご形導体４Ａを構成し、内層側導体バー５Ｂ及び内層側エンドリング６Ｂにより内層側かご形導体４Ｂを構成し、これら外層側かご形導体４Ａ及び内層側かご形導体４Ｂからなる二重かご形導体４を有するものである。
【００２２】
本実施形態では、外層側導体バー５Ａの鋳造時に外層側エンドリング６Ａを一緒に鋳造処理で形成している。また、内層側導体バー５Ｂの鋳造時に内層側エンドリング６Ｂを一緒に鋳造処理で形成している。このように、径方向に並ぶ各スロット３Ａ、３Ｂ内に、溶融したそれぞれ種類の異なる金属または合金を注入し硬化させる鋳造法により導体バー５Ａ、５Ｂを形成するとともに、同一半径上にある導体バー５Ａ同士、同一半径上にある導体バー５Ｂ同士をそれぞれの導体バーと同じ材料を用いた鋳造法によりエンドリング６Ａ、６Ｂを形成し、同一材料の導体バー５Ａ及びエンドリング６Ａ、同一材料の導体バー５Ｂ及びエンドリング６Ｂをそれぞれ一体に連結させたかご形導体４Ａ、４Ｂを二重に形成している。なお、適用する金属または合金のうち溶融点の高い金属または合金（本実施形態であれば銅または銅合金）から先に鋳込むことが好ましい。
【００２３】
このような二重かご形回転子１は、表皮効果により始動時には外層側導体バー用スロット３Ａ内に形成した導体バー（外層側導体バー５Ａ）に大きな電流が流れ、運転中には内層側導体バー用スロット３Ｂ内に形成した導体バー（内層側導体バー５Ｂ）に多くの電流が流れるが、本実施形態に係る二重かご形回転子１は、外層側導体バー５Ａの抵抗値を内層側導体バー５Ｂの抵抗値よりも高く設定しているため、始動時の特性を改善することができるとともに、運転中の効率の向上を図ることができる。
【００２４】
このように、本実施形態に係る二重かご形回転子１は、相互に連通していない外層側導体バー用スロット３Ａ及び内層側導体バー用スロット３Ｂの内部にそれぞれ異なる材料の金属または合金で鋳造によって相互に抵抗値や導電性の異なる外層側導体バー５Ａ及び内層側導体バー５Ｂを形成しているため、各導体バー（外層側導体バー５Ａ、内層側導体バー５Ｂ）の組み合わせや配合比率（合金の場合）等の選択肢が増大し、仕様に応じた適切なトルク特性を得ることが可能になる。
【００２５】
さらに、本実施形態のかご形回転子１では、周方向に複数形成される外層側導体バー５Ａ同士を、これら外層側導体バー５Ａと共に鋳造により形成した外層側エンドリング６Ａによって接続しているため、これら外層側導体バー５Ａ及び外層側エンドリング６Ａを一体成形することができ、外層側かご形導体４Ａ全体の強度が向上する。同様に、周方向に複数形成される内層側導体バー５Ｂ同士を、これら内層側導体バー５Ｂと共に鋳造により形成した内層側エンドリング６Ｂによって接続しているため、これら内層側導体バー５Ｂ及び内層側エンドリング６Ｂを一体成形することができ、内層側かご形導体４Ｂ全体の強度向上を実現している。そして、二重のかご形導体４Ａ，４Ｂをそれぞれ一体成形した回転子１は、耐遠心力性も増大し、高速回転にも好適に対応することができる。
【００２６】
なお、本発明は上述した実施形態に限定されるものではない。例えば、径方向に並ぶ各スロットの形状や数、或いは径方向に並ぶスロット同士の離間寸法は適宜変更することができる。また、同一半径上に並ぶスロット同士の周方向に沿った離間寸法も適宜変更することが可能である。
【００２７】
また、上述した実施形態では、外層側導体バー及び外層側エンドリング（すなわち外層側かご形導体）をアルミニウムまたはアルミニウム合金により形成し、内層側導体バー及び内層側エンドリング（すなわち内層側かご形導体）を銅または銅合金により形成した態様を例示したが、仕様に応じて、外層側かご形導体を銅または銅合金により形成し、内層側かご形導体をアルミニウムまたはアルミニウム合金により形成した態様を採用したり、これら上述した材料以外の金属または合金の組み合わせで各かご形導体を形成することができる。また、合金を適用する場合、その配合比率も適宜に設定することができる。
【００２８】
また、径方向に３つ以上のスロットを並べ、各スロット内にそれぞれ異なる金属または合金を用いた鋳造により相互に特性の異なるかご形導体を複数重（複数層）状に備えたかご形回転子を構成してもよい。
【００２９】
その他、各部の具体的構成についても上記実施形態に限られるものではなく、本発明の趣旨を逸脱しない範囲で種々変形が可能である。
【符号の説明】
【００３０】
１…かご形回転子
２…回転軸
３…コア
３１…鋼板
３Ａ…外層側導体バー用スロット
３Ｂ…内層側導体バー用スロット
４…かご形導体
５Ａ…外層側導体バー
５Ｂ…内層側導体バー
６Ａ…外層側エンドリング
６Ｂ…内層側エンドリング
【図１】
2011244594.tif 000003
【図２】
2011244594.tif 000004
【図３】
2011244594.tif 000005